(57)【要約】【課題】通信データの秘匿性を確保しつつ、通信速度の遅延や繋がりにくい状況の発生を抑制する。【解決手段】表示装置は、制御情報生成部と、表示制御部と、認証処理部と、通信制御部とを有する。制御情報生成部は、環境に応じて設定された、端末装置との通信を確立するための前提条件を示す接続ポリシーを含む接続条件情報を生成し、生成した接続条件情報と、暗号化通信接続用のパスワードとから、端末装置の動作を制御するための制御情報を生成する。表示制御部は、生成された制御情報の表示を制御する。認証処理部は、表示された制御情報の入力に応じて接続ポリシーの検証が端末装置で実行され、接続ポリシーを満たす端末装置とのパスワードを用いた認証処理を実行する。通信制御部は、認証処理が成功した端末装置との暗号化通信を制御する。【選択図】図４
2017204739.tif 000002
【特許請求の範囲】
【請求項１】
環境に応じて設定された、端末装置との通信を確立するための前提条件を示す接続ポリシーを含む接続条件情報を生成し、生成した前記接続条件情報と、暗号化通信接続用のパスワードとから、前記端末装置の動作を制御するための制御情報を生成する制御情報生成部と、
生成された前記制御情報の表示を制御する表示制御部と、
表示された前記制御情報の入力に応じて前記接続ポリシーの検証が前記端末装置で実行され、前記接続ポリシーを満たす前記端末装置との前記パスワードを用いた認証処理を実行する認証処理部と、
前記認証処理が成功した前記端末装置との暗号化通信を制御する通信制御部と
を有することを特徴とする表示装置。
【請求項２】
前記制御情報生成部は、無線ネットワークのチャンネルごとに混雑度を判定し、前記混雑度が所定閾値以上となった前記チャンネルが存在する場合に、前記混雑度が所定閾値未満となった前記チャンネルを、推奨チャンネルとして前記接続ポリシーに設定することを特徴とする請求項１に記載の表示装置。
【請求項３】
前記制御情報生成部は、前記表示装置に接続している前記端末装置の数を示す接続数が、前記表示装置に接続可能な前記端末装置の数を示す最大接続数以上である場合に、前記接続数と前記最大接続数とを前記接続ポリシーに設定することを特徴とする請求項１又は２に記載の表示装置。
【請求項４】
前記制御情報生成部は、前記表示装置が使用可能な暗号化方式に、非推奨の暗号化方式が存在する場合に、推奨する暗号化方式の数と、推奨する暗号化方式の情報とを前記接続ポリシーに設定することを特徴とする請求項１〜３の何れか一つに記載の表示装置。
【請求項５】
前記制御情報生成部は、前記表示装置に接続している前記端末装置との通信速度が、所定速度未満である場合に、前記通信速度に基づいて、送信される画像の解像度及び送信される音声データのフレームレートを算出し、算出した前記解像度及び前記フレームレートに対応する識別情報を前記接続ポリシーに設定することを特徴とする請求項１〜４の何れか一つに記載の表示装置。
【請求項６】
前記表示制御部は、文字列によって表された前記制御情報、又は、２次元コードによって表された前記制御情報の表示を制御することを特徴とする請求項１〜５の何れか一つに記載の表示装置。
【請求項７】
表示装置によって実行される接続処理方法であって、
環境に応じて設定された、端末装置との通信を確立するための前提条件を示す接続ポリシーを含む接続条件情報を生成し、生成した前記接続条件情報と、暗号化通信接続用のパスワードとから、前記端末装置の動作を制御するための制御情報を生成するステップと、
生成された前記制御情報の表示を制御するステップと、
表示された前記制御情報の入力に応じて前記接続ポリシーの検証が前記端末装置で実行され、前記接続ポリシーを満たす前記端末装置との前記パスワードを用いた認証処理を実行するステップと、
前記認証処理が成功した前記端末装置との暗号化通信を制御するステップと
を含むことを特徴とする接続処理方法。
【請求項８】
表示装置に、
環境に応じて設定された、端末装置との通信を確立するための前提条件を示す接続ポリシーを含む接続条件情報を生成し、生成した前記接続条件情報と、暗号化通信接続用のパスワードとから、前記端末装置の動作を制御するための制御情報を生成するステップと、
生成された前記制御情報の表示を制御するステップと、
表示された前記制御情報の入力に応じて前記接続ポリシーの検証が前記端末装置で実行され、前記接続ポリシーを満たす前記端末装置との前記パスワードを用いた認証処理を実行するステップと、
前記認証処理が成功した前記端末装置との暗号化通信を制御するステップと
を実行させるための接続処理プログラム。
【請求項９】
表示装置によって表示された制御情報であって、環境に応じて設定され、前記表示装置が端末装置との通信を確立するための前提条件を示す接続ポリシーを含む接続条件情報と、暗号化通信接続用のパスワードとを含む制御情報の入力を受け付ける受付部と、
入力された前記制御情報に含まれる前記接続ポリシーを検証する検証部と、
前記接続ポリシーの検証により、前記端末装置が前記接続ポリシーを満たす場合に、入力された前記制御情報に含まれる前記パスワードを用いて前記表示装置に認証処理を要求する要求部と、
前記認証処理が成功した場合に、前記表示装置との暗号化通信を制御する通信制御部と
を有することを特徴とする端末装置。
【請求項１０】
１以上の情報処理装置を有する情報処理システムであって、
環境に応じて設定された、端末装置との通信を確立するための前提条件を示す接続ポリシーを含む接続条件情報を生成し、生成した前記接続条件情報と、暗号化通信接続用のパスワードとから、前記端末装置の動作を制御するための制御情報を生成する制御情報生成部と、
生成された前記制御情報の表示を制御する表示制御部と、
表示された前記制御情報の入力に応じて前記接続ポリシーの検証が前記端末装置で実行され、前記接続ポリシーを満たす前記端末装置との前記パスワードを用いた認証処理を実行する認証処理部と、
前記認証処理が成功した前記端末装置との暗号化通信を制御する通信制御部と
を有することを特徴とする情報処理システム。
【発明の詳細な説明】
【技術分野】
【０００１】
本発明は、表示装置、接続処理方法、接続処理プログラム、端末装置及び情報処理システムに関する。
【背景技術】
【０００２】
従来、ＰＣ（Personal  Computer）等の機器をネットワークのアクセスポイントとして動作させるためのソフトウェア（例えば、Ｗｉｎｄｏｗｓ（登録商標）  ＯＳの一機能である「ＳｏｆｔＡＰ」等）が知られている。これにより、例えば、プロジェクタをＷｉ−Ｆｉ（登録商標）のアクセスポイントとして動作させることが可能となる。また、かかるソフトウェアを利用することで、Ｗｉ−Ｆｉ  Ｄｉｒｅｃｔをサポートしていない端末であってもネットワークに接続することが可能である。従って、Ｗｉ−Ｆｉ  Ｄｉｒｅｃｔに対応していない端末は、プロジェクタに接続し、画面の投影等を行なうことができる。
【０００３】
アクセスポイントに安全に接続するためには、ＷＥＰ（Wired  Equivalent  Privacy）やＷＰＡ（Wi‐Fi  Protected  Access）、ＷＰＡ２等を用いた暗号化通信が行なわれることが好ましい。このため、プロジェクタを使用した会議等で一時的に使用される端末と、どのようにしてパスワード（暗号化鍵）を共有するかが重要となる。パスワードの共有に関し、特許文献１（特許第３７０７４０７号公報）では、情報端末装置に入力されるべきパスワードであって、無線暗号通信に用いられるパスワードを生成し、該パスワードを表示するプロジェクタが開示されている。
【０００４】
また、特許文献２（特開２０１３−１４３６１６号公報）では、容易に無線ＬＡＮ（Local  Area  Network）接続を行なうために、アクセスポイントと成り得る複数の機器の識別子を含む接続設定情報を読み取り、読み取った接続設定情報を用いて、アクセスポイントとなる機器との間で無線通信接続の設定を行なう無線通信端末が開示されている。
【発明の概要】
【発明が解決しようとする課題】
【０００５】
近年、無線ＬＡＮ機器の増加や通信データ量の増加等の要因により、繋がりにくい、通信速度が遅い、という問題が生じている。これは、無線ＬＡＮ機器が発する電波が相互干渉するためである。加えて、通信中だけではなく接続前においても、無線ＬＡＮ機器は、無線ＬＡＮ機器の探索のためにビーコンや探索要求を送信しており、混雑が発生する要因となっている。このような問題は、Ｗｉ−Ｆｉ  Ｄｉｒｅｃｔの対応機器やＳｏｆｔＡＰの登場により、あらゆる機器が無線ＬＡＮのアクセスポイントとして振る舞うことができるために、助長される可能性がある。この点、上述した従来技術は、暗号化通信のためのパスワードを表示したり、接続設定情報をもとに接続処理を行なったりするだけであり、そのときの環境に応じた接続処理が行なわれるわけではないため、通信速度の遅延や繋がりにくい状況が発生し得る。
【０００６】
本発明は、上記に鑑みてなされたものであって、通信データの秘匿性を確保しつつ、通信速度の遅延や繋がりにくい状況の発生を抑制することを目的とする。
【課題を解決するための手段】
【０００７】
上述した課題を解決し、目的を達成するため、本発明に係る表示装置は、環境に応じて設定された、端末装置との通信を確立するための前提条件を示す接続ポリシーを含む接続条件情報を生成し、生成した前記接続条件情報と、暗号化通信接続用のパスワードとから、前記端末装置の動作を制御するための制御情報を生成する制御情報生成部と、生成された前記制御情報の表示を制御する表示制御部と、表示された前記制御情報の入力に応じて前記接続ポリシーの検証が前記端末装置で実行され、前記接続ポリシーを満たす前記端末装置との前記パスワードを用いた認証処理を実行する認証処理部と、前記認証処理が成功した前記端末装置との暗号化通信を制御する通信制御部とを有する。
【発明の効果】
【０００８】
本発明の一つの様態によれば、通信データの秘匿性を確保しつつ、通信速度の遅延や繋がりにくい状況の発生を抑制することができるという効果を奏する。
【図面の簡単な説明】
【０００９】
【図１】図１は、実施の形態１に係る接続処理システムのシステム構成例を示す図である。
【図２】図２は、実施の形態１に係る表示装置のハードウェア構成例を示すブロック図である。
【図３】図３は、実施の形態１に係る端末装置のハードウェア構成例を示すブロック図である。
【図４】図４は、実施の形態１に係る表示装置及び端末装置の機能構成例を示すブロック図である。
【図５】図５は、実施の形態１に係る接続処理システムによる接続処理全体の流れの例を示すフローチャートである。
【図６】図６は、実施の形態１に係る制御コード生成処理の流れの例を示すフローチャートである。
【図７】図７は、実施の形態１に係る表示装置の記憶部に記憶される情報例を示す図である。
【図８】図８は、実施の形態１に係る制御コードの構造例を示す図である。
【図９】図９は、実施の形態１に係る接続ポリシー決定処理の流れの例を示すフローチャートである。
【図１０】図１０は、実施の形態１に係る接続性優先Ａの該非判定処理の流れの例を示すフローチャートである。
【図１１】図１１は、実施の形態１に係る接続性優先Ａの該非判定処理の流れの例を示すフローチャートである。
【図１２】図１２は、実施の形態１に係る接続性優先Ｂの該非判定処理の流れの例を示すフローチャートである。
【図１３】図１３は、実施の形態１に係る安全性優先の該非判定処理の流れの例を示すフローチャートである。
【図１４】図１４は、実施の形態１に係る品質優先の該非判定処理の流れの例を示すフローチャートである。
【図１５】図１５は、実施の形態１に係る端末装置の動作の流れの例を示すフローチャートである。
【図１６】図１６は、実施の形態１に係る接続性優先Ａに対する端末装置の制御処理の流れの例を示すフローチャートである。
【図１７】図１７は、実施の形態１に係る接続性優先Ｂに対する端末装置の制御処理の流れの例を示すフローチャートである。
【図１８】図１８は、実施の形態１に係る安全性優先に対する端末装置の制御処理の流れの例を示すフローチャートである。
【図１９】図１９は、実施の形態１に係る品質優先に対する端末装置の制御処理の流れの例を示すフローチャートである。
【発明を実施するための形態】
【００１０】
以下に添付図面を参照して、本発明に係る表示装置、接続処理方法、接続処理プログラム、端末装置及び情報処理システムの実施の形態を説明する。なお、以下の実施の形態により本発明が限定されるものではない。
【００１１】
（実施の形態１）
［システム構成］
図１を用いて、実施の形態１に係る接続処理システムのシステム構成を説明する。図１は、実施の形態１に係る接続処理システムのシステム構成例を示す図である。
【００１２】
図１に示すように、接続処理システム５には、表示装置１００と、端末装置２００とが含まれる。これらのうち、表示装置１００は、無線通信ネットワークにおいて、アクセスポイントとして動作することができる機器である。本実施の形態において、表示装置１００は、例えば、プロジェクタやＰＣ等の各種情報を表示可能な機器である。また、端末装置２００は、タブレット端末やＰＣ等の機器である。例えば、無線通信ネットワークがＷｉ−Ｆｉ  Ｄｉｒｅｃｔである場合に、端末装置２００は、Ｗｉ−Ｆｉ  Ｄｉｒｅｃｔをサポートしていない機器であっても良い。かかる場合に、端末装置２００は、ＳｏｆｔＡＰ等のソフトウェアを利用することで、表示装置１００をアクセスポイントとして無線通信ネットワークに接続することができる。なお、接続処理システム５には、複数の表示装置１００、複数の端末装置２００が含まれていても良い。
【００１３】
上述した構成において、表示装置１００は、環境に応じて設定された、端末装置２００との通信を確立するための前提条件を示す接続ポリシーを含む接続条件情報を生成する。そして、表示装置１００は、生成した接続条件情報と、暗号化通信接続用のパスワードとから、端末装置２００の動作を制御するための制御情報を生成する。続いて、表示装置１００は、生成された制御情報の表示を制御する。例えば、表示装置１００がプロジェクタである場合には投影面等に制御情報が表示され、表示装置１００がＰＣである場合にはディスプレイ等に制御情報が表示される。
【００１４】
ユーザは、表示された制御情報を端末装置２００に入力するための操作を行なう。端末装置２００は、制御情報の入力に応じて、接続ポリシーの検証を行なう。そして、端末装置２００は、接続ポリシーを満たす場合に、パスワードを用いた認証処理を表示装置１００に要求する。これにより、表示装置１００は、接続ポリシーを満たす端末装置２００とのパスワードを用いた認証処理を実行する。その後、表示装置１００は、認証処理が成功した端末装置２００との暗号化通信を制御する。また、認証処理が成功した場合には、端末装置２００側においても、表示装置１００との暗号化通信が制御される。これらにより、端末装置２００は、表示装置１００をアクセスポイントとした暗号化通信を行なうことができる。
【００１５】
つまり、表示装置１００は、環境に応じて接続ポリシーを設定し、設定された接続ポリシーを満たす端末装置２００との間で、自身をアクセスポイントとして暗号化通信を行なうので、通信データの秘匿性を確保しつつ、通信速度の遅延や繋がりにくい状況の発生を抑制することができる。
【００１６】
［表示装置のハードウェア構成］
次に、図２を用いて、実施の形態１に係る表示装置１００のハードウェア構成を説明する。図２は、実施の形態１に係る表示装置１００のハードウェア構成例を示すブロック図である。
【００１７】
図２に示すように、表示装置１００は、ＣＰＵ（Central  Processing  Unit）１２と、ＲＡＭ（Random  Access  Memory）１３と、ＲＯＭ（Read  Only  Memory）１４と、通信部１５と、表示部１６とを有する。上記各部は、システムバス１１を介して相互に接続される。
【００１８】
ＣＰＵ１２は、表示装置１００の動作を統括的に制御する。例えば、ＣＰＵ１２は、ＲＡＭ１３等を作業領域として、ＲＯＭ１４等に格納されたプログラムを実行することで、表示装置１００全体の動作を制御する。通信部１５は、端末装置２００等の外部装置と通信（暗号化通信を含む）するためのインタフェースである。表示部１６は、各種情報を表示する。例えば、表示装置１００がプロジェクタであれば、ＲＡＭ１３上に展開された画像を投影する投影装置としての表示部１６となり、表示装置１００がＰＣであれば、液晶ディスプレイやタッチパネル等の表示装置としての表示部１６となる。
【００１９】
［端末装置のハードウェア構成］
次に、図３を用いて、実施の形態１に係る端末装置２００のハードウェア構成を説明する。図３は、実施の形態１に係る端末装置２００のハードウェア構成例を示すブロック図である。
【００２０】
図３に示すように、端末装置２００は、ＣＰＵ２２と、ＲＡＭ２３と、ＲＯＭ２４と、通信部２５と、操作表示部２６とを有する。上記各部は、システムバス２１を介して相互に接続される。
【００２１】
ＣＰＵ２２は、端末装置２００の動作を統括的に制御する。例えば、ＣＰＵ２２は、ＲＡＭ２３等を作業領域として、ＲＯＭ２４等に格納されたプログラムを実行することで、端末装置２００全体の動作を制御する。通信部２５は、表示装置１００等の外部装置と通信（暗号化通信を含む）するためのインタフェースである。操作表示部２６は、タッチパネルやハードキー等を有し、端末装置２００に対する情報の入力を受け付け、各種画面を表示する。なお、操作表示部２６は、ディスプレイ等の表示装置と、キーボード等の操作機器とに分かれていても良い。また、後述するように、制御情報の入力において、カメラ等の撮影装置を利用する場合には、撮影装置がハードウェアに含まれることになる。
【００２２】
［機能構成］
次に、図４を用いて、実施の形態１に係る各装置の機能構成を説明する。図４は、実施の形態１に係る表示装置１００及び端末装置２００の機能構成例を示すブロック図である。
【００２３】
図４に示すように、表示装置１００は、制御コード生成部１１０と、記憶部１２０と、表示制御部１３０と、通信部１４０と、通信制御部１５０と、認証処理部１６０とを有する。制御コード生成部１１０、表示制御部１３０、通信制御部１５０及び認証処理部１６０は、これらの一部又は全てがソフトウェア（プログラム）で実現されても良いし、ハードウェア回路で実現されても良い。
【００２４】
制御コード生成部１１０は、接続ポリシーを含む接続条件情報を生成し、生成した接続条件情報と、暗号化通信接続用のパスワードとから、端末装置２００の動作を制御するための制御情報を生成する。制御コード生成部１１０は、「制御情報生成部」に対応する。より具体的には、制御コード生成部１１０は、端末装置２００との通信を確立するための前提条件を示す接続ポリシーを含む接続条件情報を生成する。接続ポリシーは、表示装置１００の機器情報や通信状態等の環境に応じて設定される。端末装置２００に対しては、設定された接続ポリシーを満たすように振る舞うことが期待される。また、接続ポリシーは複数設定されても良い。
【００２５】
そして、制御コード生成部１１０は、生成した接続条件情報と、暗号化通信接続用のパスワードとを含む制御コードを生成する。暗号化通信接続用のパスワード（暗号化鍵）は、予め定められたパスワードを使用しても良いし、適宜ランダムに生成されたパスワードを使用しても良い。制御コードは、接続ポリシーやパスワードを含む情報であるため、表示装置１００をアクセスポイントとして暗号化通信を行ないたい端末装置２００に接続ポリシーの検証を行なわせ、接続ポリシーを満たすのであればパスワードを用いた認証を要求させるための情報となる。
【００２６】
記憶部１２０は、制御コードの生成に利用される各種情報を記憶する。記憶部１２０に記憶される情報や、記憶された情報を利用した制御コードの生成例については後述する。なお、記憶部１２０は、表示装置１００が有していなくても良く、外部の記憶装置を利用するようにしても良い。
【００２７】
表示制御部１３０は、各種画面の表示を制御する。より具体的には、表示制御部１３０は、表示部１６による表示処理を制御し、制御コード生成部１１０によって生成された制御コードの表示を制御する。例えば、制御コードは、文字列によって表されても良いし、２次元コードによって表されても良い。文字列又は２次元コードによって表された制御コードは、表示装置１００のディスプレイや、投影面等に出力される。これらにより、端末装置２００では、表示された制御コードの入力に応じて、接続ポリシーの検証が実行される。
【００２８】
通信制御部１５０は、通信部１４０を介して、端末装置２００等の外部装置との各種通信を制御する。通信部１４０は、上述した通信部１５に相当する。より具体的には、通信制御部１５０は、接続ポリシーを満たした端末装置２００から、パスワードを用いた認証処理の要求を受信し、認証処理部１６０に通知する。そして、通信制御部１５０は、認証処理部１６０からの認証処理結果を受け付けると、通信部１４０を介して、認証処理結果を端末装置２００に対して送信する。また、通信制御部１５０は、通信部１４０を介して、認証処理が成功した端末装置２００との暗号化通信を制御する。
【００２９】
認証処理部１６０は、接続ポリシーを満たす端末装置２００とのパスワードを用いた認証処理を実行する。より具体的には、認証処理部１６０は、接続ポリシーを満たす端末装置２００からの認証処理要求の旨が通信制御部１５０から通知された場合に、パスワードを用いた認証処理を実行する。そして、認証処理部１６０は、認証処理結果を通信制御部１５０に通知する。
【００３０】
また、図４に示すように、端末装置２００は、操作表示制御部２１０と、動作制御部２２０と、記憶部２３０と、通信制御部２４０と、通信部２５０とを有する。操作表示制御部２１０、動作制御部２２０及び通信制御部２４０は、これらの一部又は全てがソフトウェア（プログラム）で実現されても良いし、ハードウェア回路で実現されても良い。
【００３１】
操作表示制御部２１０は、各種情報の表示、各種情報の入力を制御する。操作表示制御部２１０は、「受付部」に対応する。より具体的には、操作表示制御部２１０は、操作表示部２６による表示処理や入力処理を制御し、表示装置１００によって表示された制御コードの入力を受け付ける。例えば、操作表示制御部２１０は、制御コードが文字列によって表されているのであれば、ユーザ操作による手入力により制御コードを受け付けても良いし、カメラ等の撮影装置を使用した画像認識により制御コードを受け付けても良い。また、例えば、操作表示制御部２１０は、制御コードが２次元コードによって表されているのであれば、カメラ等の撮影装置を使用した読み取りにより制御コードを受け付けても良い。
【００３２】
動作制御部２２０は、制御情報の入力に応じて、端末装置２００の動作を制御する。かかる動作制御部２２０は、「検証部」や「要求部」に対応する。より具体的には、動作制御部２２０は、操作表示制御部２１０によって入力された制御コードに含まれる接続ポリシーを検証し、端末装置２００が接続ポリシーを満たす場合に、操作表示制御部２１０によって入力された制御コードに含まれるパスワードを用いて、表示装置１００に認証処理を要求する。例えば、動作制御部２２０は、接続ポリシーの各設定情報について、端末装置２００が条件を満たすか否かを検証する。そして、動作制御部２２０は、接続ポリシーの検証により、端末装置２００が接続ポリシーを満たす場合に、操作表示制御部２１０によって入力された制御コードに含まれるパスワードを用いて、表示装置１００に認証処理を要求する。認証処理要求の旨は、通信制御部２４０に通知される。
【００３３】
記憶部２３０は、表示装置１００と接続するために利用される各種情報を記憶する。記憶部２３０に記憶される情報については後述する。
【００３４】
通信制御部２４０は、通信部２５０を介して、表示装置１００等の外部装置との各種通信を制御する。通信部２５０は、上述した通信部２５に相当する。より具体的には、通信制御部２４０は、動作制御部２２０からの通知に応じて、通信部２５０を介して、表示装置１００に対してパスワードを用いた認証処理を要求する旨の情報を送信する。そして、通信制御部２４０は、通信部２５０を介して、要求した認証処理の処理結果を表示装置１００から受信する。その後、通信制御部２４０は、認証処理が成功した場合に、通信部２５０を介して、表示装置１００との暗号化通信を制御する。
【００３５】
［接続処理全体の流れ］
次に、図５を用いて、実施の形態１に係る接続処理システム５による接続処理全体の流れを説明する。図５は、実施の形態１に係る接続処理システム５による接続処理全体の流れの例を示すフローチャートである。
【００３６】
図５に示すように、表示装置１００は、接続ポリシーを含む接続条件情報を生成し、生成した接続条件情報と、暗号化通信接続用のパスワードとから制御コードを生成する（ステップＳ１０１）。そして、表示装置１００は、生成した制御コードを表示する（ステップＳ１０２）。これにより、端末装置２００は、表示された制御コードの入力を受け付ける（ステップＳ１０３）。そして、端末装置２００は、入力された制御コードに含まれる接続条件情報とパスワードとを取得し（ステップＳ１０４）、接続条件情報に含まれる接続ポリシーについて検証処理を実行する（ステップＳ１０５）。
【００３７】
ここで、端末装置２００は、自身が接続ポリシーを満たす場合に、パスワードを用いて表示装置１００に認証処理を要求する（ステップＳ１０６）。表示装置１００は、端末装置２００からの認証処理要求に対して、パスワードを用いた認証処理を実行し、認証処理結果を端末装置２００に通知する（ステップＳ１０７）。端末装置２００は、認証処理が成功した場合に、表示装置１００との暗号化通信を開始する（ステップＳ１０８）。また、表示装置１００は、認証処理が成功した端末装置２００との暗号化通信を開始する（ステップＳ１０９）。
【００３８】
［制御コード生成の流れ］
次に、図６を用いて、実施の形態１に係る制御コード生成処理の流れを説明する。図６は、実施の形態１に係る制御コード生成処理の流れの例を示すフローチャートである。
【００３９】
図６に示すように、表示装置１００は、接続ポリシーリストを生成する（ステップＳ２０１）。接続ポリシーは、表示装置１００と端末装置２００との間の通信（例えば、暗号化通信）を確立するための前提条件を示す情報である。接続ポリシーは、「接続性優先」、「安全性優先」、「品質優先」等に分けられる。接続性優先は、端末装置２００と確実に接続できることを優先するポリシーである。安全性優先は、端末装置２００と安全に接続できることを優先するポリシーである。品質優先は、一定以上のサービス品質を確保することを優先するポリシーである。接続ポリシーには、各ポリシーを満足させるための条件が設定される。端末装置２００に対しては、その条件を満たすように振る舞うことが要求される。
【００４０】
例えば、接続性優先では、「推奨チャンネルで接続すること」といった条件が設定される。推奨チャンネルには混雑していないチャンネルが指定されるため、表示装置１００と端末装置２００とは、他の無線通信と混線することなく、安定した接続を確保することができる。
【００４１】
また、例えば、接続性優先では、表示装置１００に接続している端末装置２００の数を示す接続数と、表示装置１００に接続可能な端末装置２００の数を示す最大接続数とから、「接続数≦最大接続数」といった条件が設定される。接続数が最大接続数以下であれば、無線ＬＡＮが混雑せず、通信に使用されるＣＰＵリソースやメモリリソースも一定以下に制限されるため、表示装置１００と端末装置２００とは、より確実に接続することができる。
【００４２】
また、例えば、安全性優先では、「推奨暗号化方式を用いて接続すること」といった条件が設定される。このような条件が設定されていれば、表示装置１００と端末装置２００とは、ＷＥＰ等のような脆弱な暗号化方式で接続されることを避け、ＷＰＡやＷＰＡ２等の暗号化方式を用いて、より安全な通信を確立することができる。
【００４３】
また、例えば、品質優先では、「指定インデックス以下の解像度・フレームレートで接続すること」といった条件が設定される。解像度・フレームレート（fps：frames  per  second）の組が大きいほど、より大きくなるようにインデックスを設定するようにする。帯域が十分に確保できない環境では、解像度・フレームレートを一定以下に下げることにより、転送されるデータの量を制限し、一定の品質が確保できるようにする。なお、接続ポリシーの決定方法については後述する。また、接続ポリシーは、環境に応じて複数採用される可能性がある。
【００４４】
そして、表示装置１００は、接続ポリシーが決定されると、接続条件情報を生成する（ステップＳ２０２）。接続条件情報は、複数の接続ポリシーの情報により構成され得る。図７は、実施の形態１に係る表示装置１００の記憶部１２０に記憶される情報例を示す図である。図７に示すように、記憶部１２０には、接続ポリシーとして、「接続性優先Ａ」、「接続性優先Ｂ」、「安全性優先」、「品質優先」が設定されている。また、記憶部１２０には、変更されない定数の情報と、通信状態等の環境に応じて変更・更新される変数の情報と、暗号化方式の一覧と、解像度・フレームレートの一覧とが保持される。表示装置１００は、接続条件と、接続条件で指定されている情報とから、接続ポリシーを生成する。
【００４５】
例えば、接続性優先Ａでは、「推奨チャンネルで接続すること」が条件として設定されている場合、接続性優先ＡのＩＤ及び推奨チャンネルの値を含む接続ポリシーが生成される。図７に示す例では、この接続ポリシーは、接続性優先ＡのＩＤ「Ｐ０００１」、推奨チャンネル「１，６，１１」を含むリストとなる。また、接続性優先Ｂでは、「接続数≦最大接続数」が条件として設定されている場合、接続性優先ＢのＩＤ、接続数及び最大接続数を含む接続ポリシーが生成される。図７に示す例では、この接続ポリシーは、接続性優先ＢのＩＤ「Ｐ０００２」、接続数「３」、最大接続数「５」を含むリストとなる。
【００４６】
また、安全性優先では、「推奨暗号化方式を用いて接続すること」が条件として設定されている場合、安全性優先のＩＤ、推奨暗号化方式の数、推奨暗号化方式のＩＤを含む接続ポリシーが生成される。図７に示す例では、この接続ポリシーは、安全性優先のＩＤ「Ｐ０００３」、推奨暗号化方式の数「２」、推奨暗号化方式のＩＤ「Ｅ０００２」、「Ｅ０００３」を含むリストとなる。すなわち、推奨暗号化方式が「ｆａｌｓｅ」を示す暗号化方式「なし」、「ＷＥＰ」では脆弱であることから、推奨暗号化方式が「ｔｒｕｅ」を示す暗号化方式のＩＤが採用される。
【００４７】
また、品質優先では、「指定インデックス以下の解像度・フレームレートで接続すること」が条件として設定されている場合、品質優先のＩＤ、インデックスを含む接続ポリシーが生成される。図７に示す例では、この接続ポリシーは、品質優先のＩＤ「Ｐ０００４」、インデックス「３」を含むリストとなる。上述したように、インデックス「３」は、インデックスが「３」以下の解像度・フレームレートであれば良いことを意味する。すなわち、インデックスが「３」である解像度・フレームレート「１２８０×７２０  ３０ｆｐｓ」、インデックスが「２」である解像度・フレームレート「６４０×４８０  ６０ｆｐｓ」、インデックスが「１」である解像度・フレームレート「６４０×４８０  ３０ｆｐｓ」の何れかで接続することを表す情報となる。
【００４８】
続いて、表示装置１００は、接続条件情報が生成されると、認証処理に使用されるパスワードを生成する（ステップＳ２０３）。その後、表示装置１００は、生成された接続条件情報とパスワードとから、制御コードを生成する（ステップＳ２０４）。制御コードの構造については後述する。
【００４９】
つまり、表示装置１００は、「接続性優先Ａ」、「接続性優先Ｂ」、「安全性優先」、「品質優先」等の接続ポリシーから、現在適用すべき接続ポリシーを、機器情報や周辺の環境情報等に基づいて選択し、選択された接続ポリシーから接続条件情報を生成する。接続ポリシーは、表示装置１００が端末装置２００に守って欲しい接続規約となる。
【００５０】
［制御コードの構造］
次に、図８を用いて、実施の形態１に係る制御コードの構造を説明する。図８は、実施の形態１に係る制御コードの構造例を示す図である。
【００５１】
図８に示すように、制御コードは、パスワードと、接続条件情報とを含む構成となる。接続条件情報は、複数の接続ポリシーから構成され得る。接続条件情報を受信した端末装置２００においては、接続ポリシーそれぞれを満たすように振る舞うことが期待される。接続ポリシーが複数指定されている場合は、ＡＮＤ条件となる。接続ポリシー情報は、接続ポリシーＩＤと、ペイロードとから構成される。また、接続ポリシーの数だけ、接続ポリシー数が指定される。
【００５２】
例えば、接続性優先Ａの制御コードには、接続ポリシーＩＤ「１（Ｐ０００１に対応する）」と、ペイロード「推奨チャンネル」とが指定される。また、接続性優先Ｂの制御コードには、接続ポリシーＩＤ「２（Ｐ０００２に対応する）」と、ペイロード「接続数」、「最大接続数」とが指定される。また、安全性優先の制御コードには、接続ポリシーＩＤ「３（Ｐ０００３に対応する）」と、ペイロード「暗号化方式数」、「推奨暗号化方式ＩＤ１」、「推奨暗号化方式ＩＤ２」とが指定される。また、品質優先の制御コードには、接続ポリシーＩＤ「４（Ｐ０００４に対応する）」と、ペイロード「解像度・フレームレートインデックス」とが指定される。このような構造を有する制御コードは、文字列や２次元コードに変換されたうえで、投影面やディスプレイ等に表示される。
【００５３】
［接続ポリシー決定の流れ］
次に、図９を用いて、実施の形態１に係る接続ポリシー決定処理を説明する。図９は、実施の形態１に係る接続ポリシー決定処理の流れの例を示すフローチャートである。
【００５４】
図９に示すように、表示装置１００は、接続ポリシーの数（ｉ＝１〜Ｎ，Ｎは自然数）だけ、接続ポリシーが必要か否かを検証し（該非判定）、必要であれば、適用すべき接続ポリシーとして追加する（ステップＳ３０１）。なお、各接続ポリシーの該非判定・追加処理は独立したものであるため、並列に処理されても良い。各接続ポリシーの該非判定については後述する。
【００５５】
［接続性優先Ａの該非判定］
次に、図１０及び図１１を用いて、実施の形態１に係る接続性優先Ａの該非判定処理を説明する。図１０及び図１１は、実施の形態１に係る接続性優先Ａの該非判定処理の流れの例を示すフローチャートである。
【００５６】
図１０に示すように、表示装置１００は、無線のシグナル強度を計測し、周波数とシグナル強度との関係を示すデータを取得する（ステップＳ４０１）。例えば、無線ＬＡＮでは、２．４ＧＨｚ帯において１〜１４ｃｈが使用される。そこで、表示装置１００は、チャンネル毎（ｉ＝１〜１４）に、シグナル強度が閾値未満であるか否かを判定する（ステップＳ４０２）。このとき、表示装置１００は、チャンネルｉのシグナル強度が閾値未満である場合に（ステップＳ４０２：Ｙｅｓ）、このチャンネルｉを推奨チャンネルリストに追加する（ステップＳ４０３）。一方、表示装置１００は、チャンネルｉのシグナル強度が閾値以上である場合に（ステップＳ４０２：Ｎｏ）、全てのチャンネルの該非判定が終了するまでステップＳ４０２の処理を実行する。すなわち、シグナル強度が閾値未満である場合には、そのチャンネルが周囲ではあまり使用されていないことになるため、干渉しにくいと考えられる。従って、シグナル強度が閾値未満となったチャンネルは、十分な品質の通信を確保できるので、推奨チャンネルリストに追加される。
【００５７】
そして、表示装置１００は、全てのチャンネルのシグナル強度が閾値未満であるか否かを判定する（ステップＳ４０４）。全てのチャンネルのシグナル強度が閾値未満であれば、周辺において無線チャンネルの制限はないと考えられる。従って、表示装置１００は、全てのチャンネルのシグナル強度が閾値未満である場合に（ステップＳ４０４：Ｙｅｓ）、接続ポリシーの追加は行なわずに処理を終了する。一方、表示装置１００は、全てのチャンネルのシグナル強度が閾値未満でない場合に（ステップＳ４０４：Ｎｏ）、干渉し易いチャンネルがあり、接続性が低下してしまう可能性があることから、接続性優先（接続性優先Ａ）の接続ポリシーを採用し、接続性優先Ａを接続ポリシーリストに追加する（ステップＳ４０５）。また、表示装置１００は、推奨チャンネルリストを記憶部１２０に保存する（ステップＳ４０６）。
【００５８】
また、図１１に示すように、表示装置１００は、他のアクセスポイント等が送信する探索リクエストやビーコン等の信号を計測する（ステップＳ５０１）。ステップＳ５０２〜ステップＳ５０６の処理は、上述したステップＳ４０２〜ステップＳ４０６の処理と同様である。すなわち、どのチャンネルでどの程度、探索リクエストやビーコン等の信号が送信されていたのかを計測することで、シグナル強度の場合と同様に、接続性優先Ａの接続ポリシーを採用する必要があるか否かを判断することができる。つまり、接続ポリシーの一つである接続性優先Ａでは、無線ネットワークのチャンネルごとに混雑度を判定し、混雑度が所定閾値以上となったチャンネルが存在する場合に、混雑度が所定閾値未満となったチャンネルが、推奨チャンネルとして接続ポリシーに設定されることになる。
【００５９】
［接続性優先Ｂの該非判定］
次に、図１２を用いて、実施の形態１に係る接続性優先Ｂの該非判定処理を説明する。図１２は、実施の形態１に係る接続性優先Ｂの該非判定処理の流れの例を示すフローチャートである。
【００６０】
図１２に示すように、表示装置１００は、表示装置１００に接続している端末装置２００の数を示す接続数の情報を記憶部１２０から取得する（ステップＳ６０１）。表示装置１００の無線ＬＡＮ機能の性能限界により、接続数には一定の制限が存在する。そこで、表示装置１００は、接続数が閾値（最大接続数）よりも大きいか否かを判定する（ステップＳ６０２）。このとき、表示装置１００は、接続数が最大接続数よりも大きい場合に（ステップＳ６０２：Ｙｅｓ）、接続性の問題が発生する可能性が高いことから、接続性優先（接続性優先Ｂ）の接続ポリシーを採用し、接続性優先Ｂを接続ポリシーリストに追加する（ステップＳ６０３）。一方、表示装置１００は、接続数が最大接続数以下である場合に（ステップＳ６０２：Ｎｏ）、無線ＬＡＮが混雑することは低いことから接続ポリシーの追加は行なわずに処理を終了する。
【００６１】
［安全性優先の該非判定］
次に、図１３を用いて、実施の形態１に係る安全性優先の該非判定処理を説明する。図１３は、実施の形態１に係る安全性優先の該非判定処理の流れの例を示すフローチャートである。
【００６２】
図１３に示すように、表示装置１００は、自身がサポートしている暗号化方式のリストを記憶部１２０から取得する（ステップＳ７０１）。非推奨暗号化方式で接続された場合には、通信セキュリティー上の危険性が増大することが懸念される。そこで、表示装置１００は、サポートしている暗号化方式の中に、非推奨暗号化方式があるか否かを判定する（ステップＳ７０２）。非推奨暗号化方式とは、上述した推奨暗号化方式が「ｆａｌｓｅ」となっているものを指す。このとき、表示装置１００は、非推奨暗号化方式がある場合に（ステップＳ７０２：Ｙｅｓ）、安全性優先を接続ポリシーリストに追加する（ステップＳ７０３）。上述したように、推奨暗号化方式には、複数設定される場合がある。一方、表示装置１００は、非推奨暗号化方式がない場合に（ステップＳ７０２：Ｎｏ）、安全性優先を接続ポリシーに追加することなく処理を終了する。
【００６３】
［品質優先の該非判定］
次に、図１４を用いて、実施の形態１に係る品質優先の該非判定処理を説明する。図１４は、実施の形態１に係る品質優先の該非判定処理の流れの例を示すフローチャートである。
【００６４】
図１４に示すように、表示装置１００は、表示装置１００に接続している端末装置２００との通信速度を計測する（ステップＳ８０１）。通信速度があまりにも小さければ、通信帯域が十分確保できていないと考えられる。また、サービスの品質を維持するためには、通信データ量を制限することが好ましい。そこで、表示装置１００は、通信速度が閾値（所定速度）未満であるか否かを判定する（ステップＳ８０２）。このとき、表示装置１００は、通信速度が所定速度未満である場合に（ステップＳ８０２：Ｙｅｓ）、品質優先を接続ポリシーリストに追加する（ステップＳ８０３）。一方、表示装置１００は、通信速度が所定速度以上である場合に（ステップＳ８０２：Ｎｏ）、通信帯域が十分確保できており、サービスの品質を維持できていると考えられるため、品質優先を接続ポリシーに追加することなく処理を終了する。
【００６５】
また、映像や音声等の伝送を伴うサービスを提供する場合には、画像の解像度、映像や音声の伝送にかかるフレームレートがあまりにも大きければ、通信データ量が増大することが考えられる。そこで、通信データ量の増大を抑制するために、表示装置１００は、測定された通信速度に応じて、適切な解像度・フレームレートを算出し（ステップＳ８０４）、算出した解像度・フレームレート（インデックス）を記憶部１２０に保存する（ステップＳ８０５）。
【００６６】
［端末装置の動作］
次に、図１５を用いて、実施の形態１に係る端末装置２００の動作を説明する。図１５は、実施の形態１に係る端末装置２００の動作の流れの例を示すフローチャートである。
【００６７】
図１５に示すように、端末装置２００は、制御コードに含まれる接続条件情報の接続ポリシーの数（ｉ＝１〜Ｎ）だけ、接続ポリシーｉを検証し、制御処理を実行する（ステップＳ９０１）。複数の接続ポリシーが存在する場合には、それぞれの接続ポリシーを満足させるように、接続ポリシーを適切に解釈し処理が実行される。各接続ポリシーに対する制御処理については後述する。
【００６８】
［接続性優先Ａに対する制御処理］
次に、図１６を用いて、実施の形態１に係る接続性優先Ａに対する端末装置２００の制御処理を説明する。図１６は、実施の形態１に係る接続性優先Ａに対する端末装置２００の制御処理の流れの例を示すフローチャートである。
【００６９】
図１６に示すように、端末装置２００は、表示装置１００から受信された制御コードに含まれる接続ポリシーに、接続性優先Ａが設定されているか否かを判定する（ステップＳ１００１）。このとき、端末装置２００は、接続性優先Ａが設定されている場合に（ステップＳ１００１：Ｙｅｓ）、ペイロードからパラメータである推奨チャンネルを取得する（ステップＳ１００２）。そして、端末装置２００は、取得した推奨チャンネルを記憶部２３０に保存する（ステップＳ１００３）。一方、端末装置２００は、接続性優先Ａが設定されていない場合に（ステップＳ１００１：Ｎｏ）、接続性には問題がない（接続可能である）ものとして処理を終了する（次の処理を継続して実行する）。
【００７０】
この後、端末装置２００では、表示装置１００との接続処理が実行される。接続処理では、記憶部２３０に保存された推奨チャンネルのうち、何れかのチャンネルを用いて接続が試行されることになる。
【００７１】
［接続性優先Ｂに対する制御処理］
次に、図１７を用いて、実施の形態１に係る接続性優先Ｂに対する端末装置２００の制御処理を説明する。図１７は、実施の形態１に係る接続性優先Ｂに対する端末装置２００の制御処理の流れの例を示すフローチャートである。
【００７２】
図１７に示すように、端末装置２００は、表示装置１００から受信された制御コードに含まれる接続ポリシーに、接続性優先Ｂが設定されているか否かを判定する（ステップＳ１１０１）。このとき、端末装置２００は、接続性優先Ｂが設定されている場合に（ステップＳ１１０１：Ｙｅｓ）、ペイロードからパラメータである接続数及び最大接続数を取得する（ステップＳ１１０２）。一方、端末装置２００は、接続性優先Ｂが設定されていない場合に（ステップＳ１１０１：Ｎｏ）、接続性には問題がない（接続可能である）ものとして処理を終了する（次の処理を継続して実行する）。
【００７３】
そして、端末装置２００は、接続数が最大接続数以下であるか否かを判定する（ステップＳ１１０３）。このとき、端末装置２００は、接続数が最大接続以下である場合に（ステップＳ１１０３：Ｙｅｓ）、接続可能であると判断し、処理を終了する（次の処理を継続して実行する）。一方、端末装置２００は、接続数が最大接続数よりも大きい場合に（ステップＳ１１０３：Ｎｏ）、表示装置１００がこれ以上の接続を受け付けることが困難であり、接続不可であると判断して接続処理を終了する（ステップＳ１１０４）。
【００７４】
［安全性優先に対する制御処理］
次に、図１８を用いて、実施の形態１に係る安全性優先に対する端末装置２００の制御処理を説明する。図１８は、実施の形態１に係る安全性優先に対する端末装置２００の制御処理の流れの例を示すフローチャートである。
【００７５】
図１８に示すように、端末装置２００は、表示装置１００から受信された制御コードに含まれる接続ポリシーに、安全性優先が設定されているか否かを判定する（ステップＳ１２０１）。このとき、端末装置２００は、安全性優先が設定されている場合に（ステップＳ１２０１：Ｙｅｓ）、ペイロードからパラメータである推奨暗号化方式を取得する（ステップＳ１２０２）。一方、端末装置２００は、安全性優先が設定されていない場合に（ステップＳ１２０１：Ｎｏ）、安全性に対する要求はない（安全に接続可能である）ものとして処理を終了する（次の処理を継続して実行する）。
【００７６】
そして、端末装置２００は、自身が推奨暗号化方式をサポートしているか否かを判定する（ステップＳ１２０３）。このとき、端末装置２００は、推奨暗号化方式の何れかをサポートしている場合に（ステップＳ１２０３：Ｙｅｓ）、安全な接続を実現できると判断し、処理を終了する（次の処理を継続して実行する）。一方、端末装置２００は、推奨暗号化方式の何れもサポートしていない場合に（ステップＳ１２０３：Ｎｏ）、安全な接続を実現できないと判断し、警告を出力する（ステップＳ１２０４）。このとき、端末装置２００は、接続処理を継続する旨のユーザ指示がない場合に（ステップＳ１２０５：Ｎｏ）、接続処理を終了する（ステップＳ１２０６）。一方、端末装置２００は、接続処理を継続する旨のユーザ指示を受け付けた場合に（ステップＳ１２０５：Ｙｅｓ）、処理を終了する（次の処理を継続して実行する）。
【００７７】
なお、安全性の観点から、警告（接続処理を継続するか否か）を出力することなく、接続処理を終了するようにしても良い。このとき、ユーザに対しては、安全な接続を維持できない旨の情報を出力すれば良い。
【００７８】
［品質優先に対する制御処理］
次に、図１９を用いて、実施の形態１に係る品質優先に対する端末装置２００の制御処理を説明する。図１９は、実施の形態１に係る品質優先に対する端末装置２００の制御処理の流れの例を示すフローチャートである。
【００７９】
図１９に示すように、端末装置２００は、表示装置１００から受信された制御コードに含まれる接続ポリシーに、品質優先が設定されているか否かを判定する（ステップＳ１３０１）。このとき、端末装置２００は、品質優先が設定されている場合に（ステップＳ１３０１：Ｙｅｓ）、ペイロードからパラメータである解像度・フレームレートインデックスを取得する（ステップＳ１３０２）。そして、端末装置２００は、取得した解像度・フレームレートインデックスを記憶部２３０に保存する（ステップＳ１３０３）。一方、端末装置２００は、品質優先が設定されていない場合に（ステップＳ１３０１：Ｎｏ）、品質には問題がないものと判断し、処理を終了する（次の処理を継続して実行する）。
【００８０】
この後、端末装置２００では、表示装置１００との接続処理が実行される。接続処理では、記憶部２３０に保存された解像度・フレームレートにて、画像データや音声データが送信されることになる。
【００８１】
［実施の形態１による効果］
上述したように、環境に応じて設定された接続ポリシーを満たす端末装置２００との暗号化通信を実現するので、通信データの秘匿性を確保しつつ、通信速度の遅延や繋がりにくい状況の発生を抑制することができる。
【００８２】
（実施の形態２）
さて、これまで本発明に係る表示装置１００や端末装置２００の実施の形態について説明したが、上述した実施の形態以外にも種々の異なる形態にて実施されて良いものである。そこで、（１）構成、（２）プログラム、について異なる実施の形態を説明する。
【００８３】
（１）構成
上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【００８４】
例えば、動作制御部２２０は、操作表示制御部２１０によって入力を受け付けた制御情報に含まれる接続ポリシーを検証する「検証部」と、接続ポリシーの検証により、端末装置２００が接続ポリシーを満たす場合に、入力を受け付けた制御情報に含まれるパスワードを用いて表示装置１００に認証処理を要求する「要求部」とに分散しても良い。また、例えば、表示装置１００が有する各機能は、情報処理システムとして、クラウドコンピューティングにより実現されても良い。
【００８５】
（２）プログラム
また、表示装置１００で実行される接続処理プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、表示装置１００で実行される接続処理プログラムを、インターネット等のネットワークに接続されたコンピュータ上に格納し、ネットワーク経由でダウンロードさせることにより提供するようにしても良い。また、表示装置１００で実行される接続処理プログラムをインターネット等のネットワーク経由で提供又は配布するように構成しても良い。また、表示装置１００で実行される接続処理プログラムを、ＲＯＭ等に予め組み込んで提供するように構成しても良い。
【００８６】
表示装置１００で実行される接続処理プログラムは、上述した各部（制御コード生成部１１０、表示制御部１３０、通信制御部１５０、認証処理部１６０）を含むモジュール構成となっており、実際のハードウェアとしてはＣＰＵが記憶媒体から接続処理プログラムを読み出して実行することにより、上記各部が主記憶装置上にロードされ、制御コード生成部１１０、表示制御部１３０、通信制御部１５０、認証処理部１６０が主記憶装置上に生成されるようになっている。
【符号の説明】
【００８７】
５  接続処理システム
１００  表示装置
１１０  制御コード生成部
１２０  記憶部
１３０  表示制御部
１４０  通信部
１５０  通信制御部
１６０  認証処理部
２００  端末装置
２１０  操作表示制御部
２２０  動作制御部
２３０  記憶部
２４０  通信制御部
２５０  通信部
【先行技術文献】
【特許文献】
【００８８】
【特許文献１】特許第３７０７４０７号公報
【特許文献２】特開２０１３−１４３６１６号公報
【図１】
2017204739.tif 000003
【図２】
2017204739.tif 000004
【図３】
2017204739.tif 000005
【図４】
2017204739.tif 000006
【図５】
2017204739.tif 000007
【図６】
2017204739.tif 000008
【図７】
2017204739.tif 000009
【図８】
2017204739.tif 000010
【図９】
2017204739.tif 000011
【図１０】
2017204739.tif 000012
【図１１】
2017204739.tif 000013
【図１２】
2017204739.tif 000014
【図１３】
2017204739.tif 000015
【図１４】
2017204739.tif 000016
【図１５】
2017204739.tif 000017
【図１６】
2017204739.tif 000018
【図１７】
2017204739.tif 000019
【図１８】
2017204739.tif 000020
【図１９】
2017204739.tif 000021